(57)【要約】【課題】  コネクタを簡単に接続することができ、しかも、コネクタの不完全接続の発生を防止できるコネクタ装置を提供する。【解決手段】  クイックコネクタの接続部９に一対の抜け止めアーム２９、２９を設ける。抜け止めアーム２９のアーム本体３３の先端部に係止突部３５及び係合爪３７を一体的に形成する。係合爪３７が、取り付け部１３の外向き係合突部５３と抜け止め方向に係合するまで、接続部９を接続孔に挿入する。チェッカー１５の本体部に確認部６１を一体的に設けておき、チェッカー１５を取り付け部１３の外周に配置したときに、係止突部３５が収まる収容凹部７３を確認部６１に形成しておく。【選択図】    図４
2006292166.tif 000002
【特許請求の範囲】
【請求項１】
流体配管装置に設けられた接続孔にコネクタの接続部を挿入して接続するコネクタ装置であり、
前記接続孔の開口部には、環状の外向き係合突部を有する環状の取り付け部が突出して設けられていて、
前記コネクタ装置は、
前記接続部に径方向対称位置で設けられ、前記取り付け部の前記外向き係合突部と抜け止め方向にスナップ係合する係合爪が形成された少なくとも一対の抜け止めアームを有するコネクタと、
前記取り付け部の外周に側方から配置される本体部および前記抜け止めアームそれぞれの外側に位置するように前記本体部の幅方向両側に設けられた確認部を有するチェッカーと、を備え、
前記抜け止めアームにはそれぞれ、外側に突出する係止突部が形成され、
前記確認部はそれぞれ、内側面が前記係止突部の外側面よりも内側に位置するように形成されるとともに、前記内側面に、前記係合爪が前記外向き係合突部に正常に係合しているときの前記係止突部を収容するための確認凹部を有している、ことを特徴とするコネクタ装置。
【請求項２】
前記係止突部は、前記抜け止めアームの軸方向内端部に設けられ、前記確認凹部は、前記確認部の軸方向内端部に形成されている、ことを特徴とする請求項１記載のコネクタ装置。
【請求項３】
前記確認部は、前記係止突部を前記確認凹部に収容し、かつ、前記抜け止めアームの外側面と接触するように形成されている、ことを特徴とする請求項１又は２記載のコネクタ装置。
【請求項４】
前記係止突部は、前記確認凹部及び前記本体部で両側から挟まれるように形成されている、ことを特徴とする請求項１、２又は３記載のコネクタ装置。
【請求項５】
前記本体部は、前記外向き係合突部に正常に係合している前記係合爪の軸方向内側に入り込んで、この係合爪を支持するように形成されている、ことを特徴とする請求項１、２、３又は４記載のコネクタ装置。
【請求項６】
流体配管装置の接続孔に接続部が挿入されたコネクタの接続を確認するためのチェッカーであって、
前記接続孔の開口部には、環状の外向き係合突部を有する環状の取り付け部が突出して設けられ、
前記コネクタの前記接続部の径方向対称位置には、前記取り付け部の前記外向き係合突部と抜け止め方向にスナップ係合する係合爪が設けられた少なくとも一対の抜け止めアームが形成され、前記抜け止めアームにはそれぞれ、外側に突出する係止突部が形成されていて、
前記チェッカーは、
前記取り付け部の外周に側方から配置される本体部と、
それぞれの前記抜け止めアームの外側に位置するように前記本体部の幅方向両側に設けられた一対の確認部と、を備え、
前記確認部はそれぞれ、内側面が前記係止突部の外側面よりも内側に位置するように形成されるとともに、前記内側面に、前記係合爪が前記外向き係合突部に正常に係合しているときの前記係止突部を収容するための確認凹部を有している、ことを特徴とするチェッカー。
【請求項７】
前記取り付け部と前記チェッカーとの間には、前記チェッカーを回転しないように保持する回り止め構造が構成されている、ことを特徴とする請求項１、２、３、４又は５記載のコネクタ装置。
【請求項８】
前記回り止め構造は、前記チェッカーを複数の回転角度位置で保持できるように構成されている、ことを特徴とする請求項７記載のコネクタ装置。
【請求項９】
前記回り止め構造は、前記取り付け部の外周及び前記チェッカーの前記本体部の一方に設けられた係合凹部と、
前記取り付け部の外周及び前記チェッカーの前記本体部の他方に設けられた、この係合凹部に嵌り込んで係合する係合凸部と、を有している、ことを特徴とする請求項７又は８記載のコネクタ装置。
【請求項１０】
前記係合凹部は前記取り付け部の外周に設けられ、前記係合凸部は前記チェッカーの前記本体部に設けられている、ことを特徴とする請求項９記載のコネクタ装置。
【請求項１１】
前記取り付け部と前記チェッカーとの間には、前記チェッカーを回転しないように保持する回り止め構造が構成されていて、
前記回り止め構造は、
前記取り付け部の外周に設けられた係合凹部と、
前記チェッカーの前記本体部に設けられ、前記係合凹部に嵌り込んで係合する係合凸部と、を備え、
前記係合凹部は、前記取り付け部の外周に、周方向に間隔を有して複数個設けられている、ことを特徴とする請求項１、２、３、４又は５記載のコネクタ装置。
【発明の詳細な説明】
【技術分野】
【０００１】
本発明は、自動車等の流体配管接続に用いられるコネクタ構造に関し、例えば、自動車の燃料ポンプに、チューブを連結するためのコネクタ装置及びこのコネクタ装置に用いるチェッカーに関する。
【背景技術】
【０００２】
自動車のガソリン燃料タンクに設けられた燃料ポンプには、ガソリン燃料配管を構成するためのチューブが連結される。チューブの燃料ポンプへの連結は、燃料ポンプのキャップに接続孔を形成しておき、この接続孔に、チューブが嵌め付けられて接続されたクイックコネクタを挿入して取り付けるといった態様で行われる。燃料ポンプとチューブとを連結するクイックコネクタには、筒状の接続部の軸方向一方側に屈曲した状態でチューブ嵌め付け部を一体的に形成したものが用いられていて、チューブ嵌め付け部の外周には、例えば樹脂製のチューブがきつく嵌め付けられる。
【０００３】
クイックコネクタを燃料ポンプに取り付けるコネクタ取り付け構造としては、例えば、特許文献１に記載されたようなものが知られている。このコネクタ取り付け構造では、まず、燃料ポンプのキャップに形成された接続孔（開口部）に、クイックコネクタの接続部が回転自在に挿入される。キャップ表面の接続孔開口周辺にはリテーナー保持部（クリップ保持部）が設けられていて、接続部に形成された外向きフランジ状の抜け止め部（フランジ状ストッパ部）と係合するように、このリテーナー保持部にコ字状のリテーナーを差し込んで取り付けることにより、クイックコネクタの取り付けを完了する。このような構成により、コネクタのキャップからの突出量を小さく抑えることが可能となり、しかも、車種が異なり、燃料ポンプから延びるチューブの向きが異なっても、チューブの向きに合わせて自由にクイックコネクタを回転させることができるので、様々な車種の配管構造に対応できるだけの汎用性も確保できる。
【０００４】
【特許文献１】特許第２９４３７２２号公報
【発明の開示】
【発明が解決しようとする課題】
【０００５】
ところで、特許文献１のような取り付け構造あるいはコネクタ装置では、クイックコネクタの接続部を接続孔に挿入しても、それだけではクイックコネクタは抜け止めされない。そこでさらに、別部品であるリテーナーをリテーナー保持部に差し込んでクイックコネクタの抜け止め接続を確保するといった手段を採用しているが、リテーナーを取り付け忘れたりすると、クイックコネクタが接続孔から簡単に抜けてしまう状態で配管が使用されることととなり、ガソリン燃料漏れの原因となる。また、クイックコネクタの接続部の挿入が不完全な状態でリテーナーをリテーナー保持部に取り付けると、外向きフランジ状の抜け止め部の軸方向内側にリテーナーが入り込んでしまい、リテーナーに抜け止め機能を持たせることができず、同様にガソリン燃料漏れが生じるおそれがある。
【０００６】
そこで本発明は、コネクタを簡単に接続することができ、しかも、コネクタの不完全接続の発生を防止できるコネクタ装置及びこのコネクタ装置に用いるチェッカーの提供を目的とする。
【課題を解決するための手段】
【０００７】
この目的を達成するための本発明のコネクタ装置は、燃料ポンプ又は燃料タンク等の流体配管装置に設けられた接続孔にコネクタの接続部を挿入して接続するコネクタ装置であり、前記接続孔の開口部には、環状の外向き係合突部を有する環状の取り付け部が突出して設けられていて、前記コネクタ装置は、前記接続部に径方向対称位置で設けられ、前記取り付け部の前記外向き係合突部と抜け止め方向にスナップ係合する係合爪が形成された一対の又は少なくとも一対の抜け止めアームを有するコネクタと、前記取り付け部の外周に側方から配置される本体部および前記抜け止めアームそれぞれの外側に位置するように前記本体部の幅方向両側に設けられた確認部又は一対の確認部を有するチェッカーと、を備え、前記抜け止めアームにはそれぞれ、外側に突出する係止突部が形成され、前記確認部はそれぞれ、内側面が前記係止突部の外側面よりも内側に位置するように形成されるとともに、前記内側面に、前記係合爪が前記外向き係合突部に正常に係合しているときの前記係止突部を収容するための確認凹部を有しているものである。チェッカーの本体部は、例えば、薄肉のＵ字状体又はコ字状体に形成される。コネクタの接続部を接続孔に挿入していくと、抜け止めアームの係合爪が、取り付け部の外向き係合突部に、例えば軸方向一方側から又は軸方向外側から当接する。さらに接続部を接続孔に押し込むと、係合爪が外向き係合突部を通過して、この外向き係合突部と抜け止め方向にスナップ係合する。ここで、チェッカーを側方から取り付け部の外周に向かわせると、確認部は、確認凹部内に係止突部を収めて抜け止めアームの外側に位置し、チェッカーは所定位置に配置されることとなる。ここでは、例えば、チェッカーの取り付け移動にしたがって、係止突部が確認凹部内に入り込んでいく。したがって、コネクタの完全な接続が確認できる。ところが、コネクタの接続部が接続孔内に十分挿入されず、係合爪が外向き係合突部を通過していない、いわゆる半嵌合又は不完全接続の場合には、係止突部は、軸方向一方側に又は接続孔から離れる方向にずれているので、確認凹部内に収まるようには位置していない。ここで、チェッカーを側方から取り付け部の外周に向かわせると、内側面が係止突部の外側面よりも内側に位置するように形成されている確認部、例えば、内側面間の間隔が、係止突部の外側面同士の間隔よりも狭い確認部が、係止突部と当接するので、チェッカーを所定位置に配置することができない。したがって、半嵌合を確認でき、再度、挿入作業を行ってコネクタを十分接続孔内に挿入できる。
【０００８】
係止突部は抜け止めアームの軸方向内端部に設けることができる。そして、確認凹部は、係止突部に対応して確認部の軸方向内端部（軸方向内端側）に形成することができる。また、確認部は、係止突部を確認凹部に収容し、かつ、抜け止めアームの外側面と接触（接触直前の状態を含む）するように形成されているのが好ましい。このように構成すると、抜け止めアームの外側への開きが確認部によって規制されるので、係合爪の外向き係合突部への係合がより強固となる。さらに、係合爪が外向き係合突部と正常に係合しているときの係止突部は、チェッカーを配置したときに、確認部及び本体部で両側から挟まれるのが効果的である。このような構成では、係止突部の変形が規制されるので、特に係合爪が係止突部の近くに設けられているときには、係合爪と外向き係合突部との係合安定性を向上させることができる。そして、本体部が、係合爪の軸方向内側に入り込んで、この係合爪を直接あるいは抜け止めアームの他の部分を介して支持するように構成するのが得策である。
【０００９】
また、本発明のチェッカーは、流体配管装置の接続孔に接続部が挿入されたコネクタの接続を確認するためのチェッカーであって、前記接続孔の開口部には、環状の外向き係合突部を有する環状の取り付け部が設けられ、前記コネクタの前記接続部の径方向対称位置には、前記取り付け部の前記外向き係合突部と抜け止め方向にスナップ係合する係合爪が設けられた一対の又は少なくとも一対の抜け止めアームが形成され、前記抜け止めアームにはそれぞれ、外側に突出する係止突部が形成されていて、前記チェッカーは、前記取り付け部の外周に側方から配置される本体部と、前記抜け止めアームそれぞれの外側に位置するように前記本体部の幅方向両側に設けられた確認部又は一対の確認部と、を備え、前記確認部はそれぞれ、内側面が前記係止突部の外側面よりも内側に位置するように形成されるとともに、前記内側面に、前記係合爪が前記外向き係合突部に正常に係合しているときの前記係止突部を収容するための確認凹部を有しているものである。確認部は、例えば、内側面間の間隔が、係止突部の外側面同士の間隔よりも狭いように形成される。このチェッカーは、取り付け部との間に、チェッカーを回転しないように保持する回り止め構造を構成するものであってもよい。
【００１０】
本発明のコネクタ装置又はチェッカー（コネクタ取り付け構造）では、取り付け部とチェッカーとの間に、チェッカーを回転しないように保持する回り止め構造を構成することができる。コネクタ及びチェッカーは、例えば、抜け止めアームと確認部との係合により、相対的に回転しないように組み付けられるといった場合が多い。こういった場合に、取り付け部とチェッカーとの間に回り止め構造を構成しておけば、コネクタは取り付け部（流体配管装置）に対して回り止めされることとなる。したがって、振動が加わることなどにより、コネクタが流体配管装置に対して回転し、コネクタと流体配管装置の間を密封しているシール部材が早期に磨耗するといった不具合を防止できる。回り止め構造は、チェッカーを複数の回転角度位置で保持できるように構成されているのが好ましい。コネクタには、例えば、チューブ嵌め付け部（相手側部材の接続部）が屈曲状態で設けられる。そこで、このように構成することにより、チェッカー、したがって、コネクタ（相手方部材の接続部）の向きを変化させて流体配管装置に接続することができるので、例えば、チューブの配置方向にしたがってコネクタを接続することが可能となる。チェッカーを保持又は位置決めする回転角度位置は、例えば等間隔で、４位置乃至２０位置設定されるのが効果的である。保持位置が４位置未満だと、配管構造に十分対応するようにコネクタを配置することができない。また、保持位置が２０位置を超えると、構造が複雑になり過ぎるし、所定の位置とは異なる回転角度位置でチェッカーが位置決めされてしまうおそれがある。回り止め構造は、より具体的には、取り付け部の外周及びチェッカーの本体部の一方に設けられた係合凹部と、取り付け部の外周及びチェッカーの本体部の他方に設けられた、この係合凹部に嵌り込んで係合する、より具体的には周方向に係合する係合凸部と、から構成することができる。ここでは、係合凹部を取り付け部の外周に設け、係合凸部をチェッカーの本体部に設けておくことができる。そして、係合凹部を、取り付け部の外周に、周方向に間隔を有して複数個設け、係合凸部が嵌り込んで周方向に係合する係合凹部を選択できるようにしておけば、チェッカーを複数の異なる回転角度位置で保持することが可能となる。係合凹部は、例えば周方向に等間隔な、４個所乃至２０個所に設けられる。
【発明の効果】
【００１１】
本発明のコネクタ装置を用いれば、コネクタを接続孔にワンタッチで抜け止め接続でき、かつ、万が一の不完全接続もチェッカーにより確実に検出できる。
【発明を実施するための最良の形態】
【００１２】
以下、本発明を実施するための形態を図面を参照して説明する。
【００１３】
図１は、自動車の燃料ポンプに、本発明に係るコネクタ装置を取り付ける場合を説明する斜視図、図２はコネクタ装置を取り付けた場合を示す断面図、図３はコネクタ装置を取り付けた場合を示す平面図、図４はアーム本体の先端部個所の拡大図である。
【００１４】
ここでは、自動車の燃料タンク１に取り付けられている燃料ポンプ３のキャップ５に、筒状のクイックコネクタ７の接続部９が挿入される接続孔１１が形成されていて、この接続孔１１の開口縁部には環状の取り付け部１３が設けられている。クイックコネクタ７は、取り付け部１３から接続孔１１内に挿入され、かつ、この取り付け部１３と抜け止め係合する。クイックコネクタ７が接続孔１１に挿入されると、チェッカー（クリップ）１５が取り付け部１３の外周面に嵌められ、クイックコネクタ７の正常な取り付け接続の確認が行われる。
【００１５】
このようなコネクタ取り付け構造のクイックコネクタ７は、筒状の接続部９の軸方向一方側（軸方向外側）に、９０度屈曲した状態で、すなわち真横に曲がった状態で形成された、外周に複数本の環状抜け止め突部１７が設けられているチューブ嵌め付け部１９を有し、繊維強化ＰＡ（ポリアミド）又は繊維強化ＰＯＭ（ポリアセタール）等の樹脂材料を用いて一体的に形成されている。クイックコネクタ７の筒状の接続部９には、軸方向中央又はほぼ中央に、外向きフランジ状又は鍔状の環状位置決め部２１が一体的に設けられているが、接続部９の外径は、環状位置決め部２１を挟んで軸方向一方側が、軸方向他方側（軸方向内側）よりも多少大きく設定されている。接続部９の環状位置決め部２１よりも軸方向他方側の挿入部２３では、軸方向他方側の内周（軸方向一方側のわずかの部分を除いた大部分の内周）が大径に形成されて収容部２４が構成され、この収容部２４内に、カラー２５を介して２本のＯリング２６、２６が嵌め込まれている。そして、収容部２４の軸方向他端部には、このＯリング２６を抜け止めするために、樹脂ブッシュ２７が嵌め付けられている。ここでは、Ｏリング２６が接続部９又は挿入部２３の内側に配置されているので、クイックコネクタ７の接続時に、Ｏリング２６が他の部材と接触して傷付くといったことが効果的に防止される。接続部９の挿入部２３の外周面は、軸方向全長にわたって等しい外径を有するように形成されている。また、クイックコネクタ７の接続部９には、環状位置決め部２１よりも軸方向一方側で、かつ、チューブ嵌め付け部１９の形成個所とほぼ同一の軸方向位置で、径方向外側（外側）に突出した一対の抜け止めアーム２９、２９が一体的に形成されている。一対の抜け止めアーム２９は、径方向対称位置に設けられていて（チューブ嵌め付け部１９と、それぞれの抜け止めアーム２９とは直交するように配置されている）、チューブ嵌め付け部１９の外径（チューブ嵌め付け部１９の付け根側外径）とほぼ同一の幅を有してプレート状に形成されている。
【００１６】
抜け止めアーム２９はそれぞれ、接続部９の外周面から径方向外側に突出する支持部３１と、この支持部３１の径方向外端部（外端部）から屈曲した状態で軸方向他方側に延びるアーム本体３３と、から一体的に形成され、アーム本体３３は、軸方向他端部（先端部あるいは軸方向内端部）に係止突部３５及び係合爪３７を一体的に有している。係止突部３５は、アーム本体３３の先端部を、厚み分だけ外側に張り出すように屈曲した状態とすることによって形成され、係止突部３５の径方向内側（内側）には、挿入凹部３９が形成されている。係合爪３７は、アーム本体３３の径方向内面（内面）に、挿入凹部３９の軸方向外側で、挿入凹部３９と隣接して、径方向内側に僅かに突出するように一体的に設けられ、係合爪３７の径方向内端面４１は、軸方向他方側に向かって径方向外側に傾斜するように構成されていて、係合爪３７は断面直角三角形状に形成されている。
【００１７】
キャップ５には、内部側に突出して燃料タンク１内に延びるように、筒状部４３が一体的に形成されていて、キャップ５の表面から筒状部４３の軸方向内端にかけて接続孔１１が貫通して設けられている。接続孔１１は、軸方向一方側で、挿入部２３の外径とほぼ等しい大きさの内径を有し、軸方向他方側（軸方向一方側よりも軸方向他方側）で、挿入部２３の外径よりも小さい内径を有していて、軸方向中間に、挿入止め用の環状当接面４５を備えている。環状当接面４５の内周部からは、軸方向一方側に向かって延びるように内筒部４６が形成され、この内筒部４６の外周に深い収容環状溝が構成されている。また、接続孔１１のキャップ５側の開口部は大径の受け止め部４７として形成されていて、この受け止め部４７は、クイックコネクタ７の環状位置決め部２１の外径とほぼ同一の大きさの内径を有し、環状当接底面４９を備えている。なお、接続孔１１に内筒部４６を形成せず、かつ、コネクタ７の挿入部２３の外周に、接続孔１１との間を密封するシール部材としてのＯリングを嵌め付けておいてもよい。
【００１８】
接続孔１１の開口周縁部に設けられている取り付け部１３は、内周面が受け止め部４７の内周面と共面状態（同一の又は一つの円筒内面上に連続して位置する状態）となるように、軸方向外側に向かって突出して一体的に形成されていて、軸方向外端部（先端部）の外周面に、環状の軸方向外端面５１が、軸方向内側に向かって径方向外側に傾斜する断面直角三角形状の外向き係合突部５３を有している。
【００１９】
チェッカー１５は、基部５５及びこの基部５５の幅方向両側にそれぞれ形成された一対の幅の細い挟み部５７、５７、を一体的に有する、概略的にはＵ字状体又はコ字状体の薄肉の本体部５９と、それぞれの挟み部５７の外側（幅方向外側）に、挟み部５７と僅かな隙間を介して配置され、かつ、基部５５側が挟み部５７に接続された確認部６１と、を一体的に備えていて、挟み部５７はそれぞれ、基部５５から、基部５５と直交する方向に延びるように設けられている。また、本体部５９と確認部６１とは、裏面（軸方向内端面）が同一平面上に位置するように形成されている。本体部５９は、取り付け部１３の断面円形の外周面形状に対応した内面（内周面又は内周状面）を有していて、基部５５及び両挟み部５７、５７の基部５５側の内面は、取り付け部１３の外周面の径と同一又はほぼ同一の径を有するような半円状に形成されて嵌め付け内面６３を構成し、両挟み部５７、５７の先端側（反基部５５側）の内面６５、６５は、互いに、取り付け部１３の外周面の径と同一又はほぼ同一の間隔（外向き係合突部５３の外径よりも狭い）を保ちながら、嵌め付け内面６３の両端の接線方向に延びて保持部を構成している。それぞれの挟み部５７、５７の外側面（幅方向外側面）６７、６７は、内面６５、６５と平行に、あるいは、嵌め付け内面６３の両端の接線方向に延びている。
【００２０】
確認部６１は、軸方向外側に延びる側壁状に形成され、軸方向内側の収容部６９と、軸方向外側の当接部７１とを一体的に有している。収容部６９は、厚み分だけ又は厚み分よりも多少薄く当接部７１の外側に張り出すように屈曲した状態で設けられているので、収容部６９の内側（幅方向内側）には収容凹部７３が形成されている。すなわち、確認部６１の内側面は、係止突部３５の外側面７２よりも内側に位置しているが（図４及び図６の符号７４で示される、当接部７１の内側面参照）、この内側面の軸方向内端部（確認部６１の軸方向内端部）には、収容凹部（確認凹部）７３が形成されているので、確認部６１の内側面は、軸方向内端部で、係止突部３５を収容することができるように、外側に凹んでいることとなる。収容凹部７３の軸方向高さは、挟み部５７の厚さのほぼ２倍となっていて、収容凹部７３は、アーム本体３３の係止突部３５とほぼ同一の軸方向高さを有している。確認部６１は、収容部６９の基部５５側端部に形成された、幅方向内側に延びて挟み部５７の付け根側の外側面及び表面に一体的に接続形成された接続片部７７によって本体部５９に接続されている。また、確認部６１の先端は、挟み部５７の先端のやや後方（基部５５側より）に位置しているが、収容部６９の先端の裏面側端部には、先端が、挟み部５７の先端位置まで突出する突出部分７８が形成され、突出部分７８の内側面（幅方向内側面）には、保持突部７９が一体的に形成されていて、この保持突部７９は、先端面が基部５５側に向かって幅方向内側に傾斜する断面直角三角形状に形成されている。突出部分７８及び保持突部７９は、裏面が収容部６９の裏面と共面状態となり、かつ、挟み部５７と同一の厚みを有するように形成されている。なお、符号８１は、軸方向外側に突出するように基部５５に形成された操作突条である。
【００２１】
図５は本発明に係るコネクタ装置の取り付け過程を示す図である。
【００２２】
クイックコネクタ７をキャップ５に取り付けるには、まず、クイックコネクタ７の接続部９を取り付け部１３内に差し込み、接続孔１１に挿入する。クイックコネクタ７は、接続部９に形成された環状位置決め部２１が、接続孔１１の受け止め部４７内に収容されて環状当接底面４９と当接するか、あるいは接続部９の挿入部２３が収容環状溝内に嵌まり込み、挿入部２３の軸方向内端が環状当接面４５に当接するまで、接続孔１１内に押し込まれる。そうすると、挿入完了直前に、抜け止めアーム２９、２９の係合爪３７、３７の径方向内端面４１が、取り付け部１３の外向き係合突部５３の軸方向外端面５１と当接し、接続部９の挿入にしたがって、係合爪３７は径方向外側にずれながら外向き係合突部５３を通過し、この外向き係合突部５３と抜け止め方向にスナップ係合することとなる。これにより、クイックコネクタ７の挿入接続作業が完了する。この状態では、係止突部３５の先端（軸方向内端）は、例えば、キャップ５の表面と接触直前となるように位置している。
【００２３】
次に、側方からチェッカー１５を取り付け部１３の外周に嵌め付ける。チェッカー１５の嵌め付けは、挟み部５７がチューブ嵌め付け部１９の延びる方向を向くように、あるいは、挟み部５７が抜け止めアーム２９の支持部３１と直交する方向を向くようにして、裏面を取り付け部１３周囲のキャップ５表面上でスライドさせながら行う。クイックコネクタ７は、接続孔１１に対して自由に回転できる状態となっているので、チェッカー１５の嵌め付けに際しては、クイックコネクタ７を回転しないように指で押えておくのが好ましい。チェッカー１５の嵌め付けは、嵌め付け内面６３に取り付け部１３の外周面が収まって接触するまで行われる。
【００２４】
チェッカー１５のこのような嵌め付けに際しては、まず、収容部６９の保持突部７９の先端面が、抜け止めアーム２９の係止突部３５に当接するが、チェッカー１５の嵌め付けにしたがって、収容部６９の先端側が径方向（幅方向）外側に開き、係止突部３５が、収容凹部７３と挟み部５７との間に入り込んでいく。収容凹部７３の長さ、すなわち保持突部７９と接続片部７７との間隔は、係止突部３５の幅と同一又はほぼ同一に設定されているので、チェッカー１５の嵌め付けが完了したときには、係止突部３５は、収容凹部７３と挟み部５７との間に、保持突部７９及び接続片部７７によって抜け止めされた状態で収容されている。すなわち、係止突部３５は、収容凹部７３及び挟み部５７で両側から挟まれている。ここでは、収容凹部７３が係止突部３５の外側面７２に密着し（密着直前の状態を含む）、当接部７１の内側面がアーム本体３３の外側面と接触し、しかも、挿入凹部３９、取り付け部１３の外周面及びキャップ５の表面との間に、挟み部５７が隙間のない状態（実質的に隙間のない状態）で入り込んでいるので（図面では説明の便宜上、若干の隙間を設ける場合がある）、アーム本体３３の先端部は変形する余地がなく、アーム本体３３の開き変形などが効果的に防止される。ここでは、係合爪３７の軸方向内側への変形も、係合爪３７の軸方向内側に挟み部５７が入り込み、この挟み部５７が挿入凹部３９を介して係合爪３７を支持しているので、効果的に防止される。したがって、係合爪３７が取り付け部１３の外向き係合突部５３から外れるといったことがない。
【００２５】
図６はクイックコネクタ７の接続孔１１への挿入が不完全な場合のチェッカー１５の取り付け状態を説明するための図である。
【００２６】
クイックコネクタ７の接続部９の挿入部２３が、接続孔１１内に十分挿入されず、アーム本体３３の係合爪３７が、取り付け部１３の外向き係合突部５３とスナップ係合していない場合には、クイックコネクタ７が正常に（完全に）接続されている場合と比較して、係合爪３７、したがって係止突部３５が軸方向外側にずれて位置している。しかしながら、収容部６９の内側に形成されている収容凹部７３の軸方向高さは、アーム本体３３の係止突部３５（係止突部３５の外面側）の軸方向高さとほぼ同一に設定されているので、チェッカー１５を嵌め付けようとしても、係止突部３５が収容凹部７３内に収まらず、確認部６１の当接部７１先端に当接してしまう。したがって、チェッカー１５をそれ以上取り付け部１３側に移動させることができないので、取り付け部１３の外周に嵌め付けることができない。このようにして、クイックコネクタ７の不完全接続が確認できる。
【００２７】
図７はコネクタ装置に回り止め構造を構成した場合を示す斜視図、図８はコネクタ装置に回り止め構造を構成した場合を説明するための平面図であり、図１乃至図６に示すコネクタ装置（周辺構造を含む）と同一の構成部分には同一の符号が付されている。そして、概略的には、同一の構成部分の説明は、ここでは省略されている。
【００２８】
取り付け部１３の外周面には、外向き係合突部５３の下側で、係合凹部８３が周方向に等間隔で複数個（具体的には４つ）形成されている。それぞれの係合凹部８３は、断面三角形状で形成されている。また、チェッカー１５の嵌め付け内面６３の中央部（幅方向中央部）には、係合凸部８５が一体的に形成されていて、この係合凸部８５は、係合凹部８３に嵌り込んで周方向に係合するように、断面三角形状に形成されている。ここで、接続孔１１に挿入されたコネクタ７を、チェッカー１５の係合凸部８５がいずれかの係合凹部８３に嵌り込むこととなるような回転角度位置に位置させ、チェッカー１５を取り付け部１３の外周に嵌め付ける。チェッカー１５の係合凸部８５は、取り付け部１３の係合凹部８３に嵌り込んで、この係合凹部８３と周方向に係合し、チェッカー１５は取り付け部１３に、周方向に回転しないように接続される。あるいは、チェッカー１５を取り付け部１３の外周に配置してから、チェッカー１５とコネクタ７とを一緒に回転させ、チェッカー１５の係合突部８５を適当な係合凹部８３に嵌り込ませるようにしてもよい。ここでは、例えば、アーム本体３３の係止突部３５は、チェッカー１５の挟み部５７と収容凹部７３との間に挟み込まれて収容されているので、コネクタ７のアーム本体３３とチェッカー１５とは周方向に相対的に回転しないように組み付けられている。したがって、このような回り止め構造によって、コネクタ７は取り付け部１３（キャップ５）に周方向に回転しないように取り付けられていることとなる。なお、チェッカー１５の係合凸部８５が嵌り込む係合凹部８３は、例えば、チューブ嵌め付け部１９がチューブの延びる方向を向くこととなるように選択される。また、係合凸部８５の突出量あるいは係合凹部８３の凹み量は、チェッカー１５の本体部５９の肉厚の半分（２分の１）程度とするのが好ましい。
【産業上の利用可能性】
【００２９】
本発明のコネクタ装置あるいはチェッカーを、例えば自動車の流体配管の接続に用いれば、流体漏れがない配管構造を簡単に構成できる。
【図面の簡単な説明】
【００３０】
【図１】自動車の燃料ポンプに、本発明に係るコネクタ装置を取り付ける場合を説明する斜視図である。
【図２】コネクタ装置を取り付けた場合を示す断面図である。
【図３】コネクタ装置を取り付けた場合を示す平面図である。
【図４】アーム本体の先端部個所の拡大図である。
【図５】本発明に係るコネクタ装置の取り付け過程を示す図である。
【図６】クイックコネクタの接続孔への挿入が不完全な場合のチェッカーの取り付け状態を説明するための図である。
【図７】コネクタ装置に回り止め構造を構成した場合を示す斜視図である。
【図８】コネクタ装置に回り止め構造を構成した場合を説明するための平面図である。
【符号の説明】
【００３１】
３                              燃料ポンプ（流体配管装置）
７                              クイックコネクタ
９                              接続部
１１                            接続孔
１３                            取り付け部
１５                            チェッカー
２９                            抜け止めアーム
３５                            係止突部  
３７                            係合爪
５３                            外向き係合突部
６１                            確認部
７３                            収容凹部（確認凹部）
【図１】
2006292166.tif 000003
【図２】
2006292166.tif 000004
【図３】
2006292166.tif 000005
【図４】
2006292166.tif 000006
【図５】
2006292166.tif 000007
【図６】
2006292166.tif 000008
【図７】
2006292166.tif 000009
【図８】
2006292166.tif 000010